【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
被写体像を光電変換する撮像素子と、
前記撮像素子を用いて画像の撮影を行う撮影処理手段と、
撮影に関するパラメータを、基準値を含むように順次変更するとともに、該パラメータが異なる複数の画像の撮影を前記撮影処理手段に行わせるパラメータ変更制御手段と、
前記複数の画像のうち使用者によって選択された画像に対応する前記パラメータに関する情報を記憶手段に記憶させる記憶制御手段と、
前記記憶手段に記憶された情報に基づいて、前記撮影に関するパラメータを決定するパラメータ決定制御手段とを有することを特徴とする撮像装置。
【請求項２】
前記パラメータに関する情報は、前記選択された画像に対応するパラメータ又は該パラメータにおける前記基準値からの変更量であることを特徴とする請求項１に記載の撮像装置。
【請求項３】
前記パラメータ変更制御手段は、前記パラメータを一定量ずつ変更することを特徴とする請求項１又は２に記載の撮像装置。
【請求項４】
前記パラメータの変更量を使用者に選択させる変更量選択手段を有することを特徴とする請求項３に記載の撮像装置。
【請求項５】
前記複数の画像を表示する表示手段を有することを特徴とする請求項１から４のいずれか１つに記載の撮像装置。
【請求項６】
前記複数の画像の中から使用者に画像を選択させる画像選択手段を有することを特徴とする請求項１から５のいずれか１つに記載の撮像装置。
【請求項７】
前記記憶制御手段は、前記複数の画像とこれら画像のそれぞれに対応する前記パラメータに関する情報とを関連付けて画像記録手段に記憶させることを特徴とする請求項１から６のいずれか１つに記載の撮像装置。
【請求項８】
前記複数の画像の撮影を行う第１の撮影モードと、前記パラメータ決定制御手段により決定されたパラメータを用いて撮影を行う第２の撮影モードとを選択的に設定するモード設定手段を有することを特徴とする請求項１から７のいずれか１つに記載の撮像装置。
【請求項９】
前記撮影に関するパラメータは、前記被写体像を形成する撮影光学系のデフォーカス量であり、
前記基準値は、前記撮影光学系の焦点調節制御において合焦状態に対応するデフォーカス量であることを特徴とする請求項１から８のいずれか１つに記載の撮像装置。
【請求項１０】
前記焦点調節制御において、撮影範囲のうち合焦を得る焦点調節領域の選択が可能であり、
前記撮影処理手段は、前記撮影範囲のうち前記選択された焦点調節領域を中心とした部分の拡大画像を出力することを特徴とする請求項９に記載の撮像装置。
【請求項１１】
前記焦点調節制御において、撮影範囲のうち合焦を得る焦点調節領域の選択が可能であり、
前記パラメータ変更制御手段は、前記撮影処理手段に、前記撮影範囲のうち前記選択された焦点調節領域を中心とした部分の画像のみを撮影画像として生成させることを特徴とする請求項９に記載の撮像装置。
【請求項１２】
前記撮影に関するパラメータは、前記撮像素子の露出値であり、
前記基準値は、露出値制御において前記被写体の測光結果に応じて決定される値であることを特徴とする請求項１から８のいずれか１つに記載の撮像装置。
【請求項１３】
前記露出値制御において、撮影範囲のうち測光を行う測光エリアの選択が可能であり、
前記撮影処理手段は、前記撮影範囲のうち前記選択された測光エリアを中心とした部分の拡大画像を出力することを特徴とする請求項１２に記載の撮像装置。
【請求項１４】
前記露出値制御において、撮影範囲のうち測光を行う測光エリアの選択が可能であり、
前記パラメータ変更制御手段は、前記撮影処理手段に、前記撮影範囲のうち前記選択された測光エリアを中心とした部分の画像のみを撮影画像として生成させることを特徴とする請求項１２に記載の撮像装置。
【請求項１５】
前記撮影に関するパラメータは、色温度であり、
前記基準値は、ホワイトバランス制御において基準となる色温度であることを特徴とする請求項１から８のいずれか１つに記載の撮像装置。
【請求項１６】
前記撮影処理手段は、前記複数の画像を出力する際には、前記パラメータ決定制御手段により決定されたパラメータを用いて撮影する画像を出力する際とは異なる画像処理を行うことを特徴とする請求項１から１５のいずれか１つに記載の撮像装置。
【請求項１７】
レンズ装置の交換装着が可能な撮像装置であって、
前記記憶制御手段は、該撮像装置に装着されたレンズ装置が有する固有の識別情報を判別し、該識別情報と前記パラメータに関する情報とを関連付けて前記記憶手段に記憶させることを特徴とする請求項１から１６のいずれか１つに記載の撮像装置。
【請求項１８】
レンズ装置と、このレンズ装置が装着される撮像装置本体とを含む撮像装置であって、
前記記憶制御手段は、前記撮像装置本体が有する固有の識別情報と前記パラメータに関する情報とを関連付けて、前記レンズ装置に設けられた前記記憶手段に記憶させることを特徴とする請求項１から１６のいずれか１つに記載の撮像装置。
【請求項１９】
被写体像を光電変換する撮像素子を有する撮像装置の制御方法であって、
撮影に関するパラメータを、基準値を含むように順次変更するとともに、前記撮像素子の出力信号に基づいて該パラメータが異なる複数の画像の撮影を行うステップと、
前記複数の画像のうち使用者によって選択された画像に対応する前記パラメータに関する情報を記憶手段に記憶させるステップと、
前記記憶手段に記憶された情報に基づいて、前記撮影に関するパラメータを決定するステップとを有することを特徴とする撮像装置の制御方法。
【請求項２０】
前記パラメータに関する情報は、前記選択された画像に対応するパラメータ又は該パラメータにおける前記基準値からの変更量であることを特徴とする請求項１９に記載の撮像装置の制御方法。
【請求項２１】
前記パラメータを順次変更するステップにおいて、前記パラメータを一定量ずつ変更することを特徴とする請求項１９又は２０に記載の撮像装置の制御方法。
【請求項２２】
レンズ装置の交換装着が可能な撮像装置の制御方法であって、
前記パラメータに関する情報を前記記憶手段に記憶させるステップにおいて、前記撮像装置に装着されたレンズ装置が有する固有の識別情報を判別し、該識別情報と前記パラメータに関する情報とを関連付けて前記記憶手段に記憶させることを特徴とする請求項１９から２１のいずれか１つに記載の撮像装置の制御方法。
【請求項２３】
レンズ装置と、このレンズ装置が装着される撮像装置本体とを含む撮像装置の制御方法であって、
前記パラメータに関する情報を前記記憶手段に記憶させるステップにおいて、前記撮像装置本体が有する固有の識別情報と前記パラメータに関する情報とを関連付けて、前記レンズ装置に設けられた前記記憶手段に記憶させることを特徴とする請求項１９から２１のいずれか１つに記載の撮像装置の制御方法。
【手続補正２】
【補正対象書類名】明細書
【補正対象項目名】００１２
【補正方法】変更
【補正の内容】
【００１２】
上記の目的を達成するために、本発明の撮像装置は、被写体像を光電変換する撮像素子と、撮像素子を用いて画像の撮影を行う撮影処理手段と、撮影に関するパラメータを、基準値を含むように順次変更するとともに、該パラメータが異なる複数の画像の撮影を撮影処理手段に行わせるパラメータ変更制御手段とを有する。さらに、上記複数の画像のうち使用者により選択された画像に対応するパラメータに関する情報を記憶手段に記憶させる記憶制御手段と、記憶手段に記憶された情報に基づいて、（上記複数の画像撮影後の撮影時に設定する）撮影に関するパラメータを決定するパラメータ決定制御手段とを有する。
【手続補正３】
【補正対象書類名】明細書
【補正対象項目名】００１４
【補正方法】変更
【補正の内容】
【００１４】
また、パラメータを順次変更する場合に、一定量ずつ変更するようにしてもよい。
【手続補正４】
【補正対象書類名】明細書
【補正対象項目名】００１６
【補正方法】変更
【補正の内容】
【００１６】
さらに、「一定量」は、固定値であってもよいし、使用者によって選択された値でもよい。
【手続補正５】
【補正対象書類名】明細書
【補正対象項目名】００２１
【補正方法】変更
【補正の内容】
【００２１】
また、パラメータの変更量を使用者が選択可能とすることにより、より細かなパラメータ変更やより大まかなパラメータ変更といった、使用者が求める分解能でのパラメータ変更を行うことができる。
【手続補正６】
【補正対象書類名】明細書
【補正対象項目名】００２５
【補正方法】変更
【補正の内容】
【００２５】
また、撮影に関するパラメータを撮影光学系のデフォーカス量とすることにより、使用者が求める合焦状態を選択することができる。この場合において、焦点調節制御において撮影範囲のうち合焦を得る焦点調節領域の選択が可能であるときに、撮影範囲のうち選択された焦点調節領域を中心とした部分の拡大画像を出力させるようにすることにより、又は撮影範囲のうち選択された焦点調節領域を中心とした部分の画像のみを撮影画像として生成させることにより、上記複数の画像の保存、表示および選択に要する時間の短縮が図れるとともに、使用者による焦点調節状態の確認を行いやすくすることができる。
【手続補正７】
【補正対象書類名】明細書
【補正対象項目名】００２６
【補正方法】変更
【補正の内容】
【００２６】
また、撮影に関するパラメータを撮像素子の露出値とすることにより、使用者が求める明るさの画像を選択することができる。この場合において、撮影範囲のうち測光を行う測光エリアの選択が可能であるときに、撮影範囲のうち選択された測光エリアを中心とした部分の拡大画像を出力させることにより、又は撮影範囲のうち選択された測光エリアを中心とした部分の画像のみを撮影画像として生成させることにより、上記複数の画像の保存、表示および選択に要する時間の短縮が図れるとともに、使用者による明るさの確認を行いやすくすることができる。
【手続補正８】
【補正対象書類名】明細書
【補正対象項目名】００２８
【補正方法】変更
【補正の内容】
【００２８】
また、上記複数の画像を出力する際には、パラメータ決定制御手段により決定されたパラメータを用いて撮影する画像（プレビュー画像）を出力する際とは異なる画像処理を行う、例えば、プレビュー画像で行われるエッジ強調処理やレベル補正処理を含まない画像処理を行うことにより、パラメータ変更で画像がどのように変化しているかを確認しやすくなる。
【手続補正９】
【補正対象書類名】明細書
【補正対象項目名】００４８
【補正方法】変更
【補正の内容】
【００４８】
フォーカルプレーンシャッタ２０８の先幕、後幕は、駆動源がバネにより構成されており、シャッタ走行後、次の動作のためにバネチャージを要する。シャッタチャージ・ミラー駆動機構２１１は、このバネチャージを制御する。また、シャッタチャージ・ミラー駆動機構２１１によりクイックリターンミラー２０２のアップ・ダウン駆動が行われる。
【手続補正１０】
【補正対象書類名】明細書
【補正対象項目名】００５５
【補正方法】変更
【補正の内容】
【００５５】
画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４はこのＤ／Ａコンバータ２１５の出力を、上記画像表示回路２１３を駆動する際に必要な映像信号（例えば、ＮＴＳＣ信号）に変換する。
【手続補正１１】
【補正対象書類名】明細書
【補正対象項目名】００６６
【補正方法】変更
【補正の内容】
【００６６】
また、本電子カメラ２００には、パーソナルコンピュータに代表される外部接続機器３００を接続するための通信インターフェース回路２２４が設けられている。システムコントローラ２２３は、通信インターフェース回路２２４を介して外部制御装置３００と通信することができる。
【手続補正１２】
【補正対象書類名】明細書
【補正対象項目名】０１１０
【補正方法】変更
【補正の内容】
【０１１０】
ステップＳ２１７では、システムコントローラ２２３は、フォーカルプレーンシャッタ２０８を開くよう制御する。さらに、ステップＳ２１８では、画像データコントローラ（ＤＳＰ）２２０に対して撮像素子２１０の電荷蓄積動作（積分動作）を指示する。ステップＳ２１９では、ステップ２０４で決定された積分時間の間、待機する。そして積分時間が終わると、ステップＳ２２０へ移行し、フォーカルプレーンシャッタ２０８を閉じるよう制御する。
【手続補正１３】
【補正対象書類名】明細書
【補正対象項目名】０１２１
【補正方法】変更
【補正の内容】
【０１２１】
ステップＳ３０８では、カウンター“Ｎ”に＋１する。ステップＳ３０９ではカウンター“Ｎ”が“７”より大きくなっていないか否かを判別する。“Ｎ”が “７”より大きい場合は、ステップＳ３１０において、選択表示できるＡＦキャリブレーション画像データがないことを、画像表示回路２１３を使って、若しくは画像表示回路２１３とブザー２３４を同時に使って警告を行い、ステップＳ３１１においてカウンター“Ｎ”を−１する。ステップＳ３０９でカウンター “Ｎ”が“７”以下と判断されればステップＳ３１２へ移行する。
【手続補正１４】
【補正対象書類名】明細書
【補正対象項目名】０１３７
【補正方法】変更
【補正の内容】
【０１３７】
ステップＳ４１３では、フォーカルプレーンシャッタ２０８を開くように制御する。さらにステップＳ４１４では、画像データコントローラ（ＤＳＰ）２２０に対して撮像素子２１０の電荷蓄積動作（積分動作）を指示する。ステップＳ４１５では、ステップ４０３で決定された積分時間の間、待機する。そして積分時間が終わると、ステップＳ４１６へ移行し、フォーカルプレーンシャッタ２０８を閉じるように制御する。
【手続補正１５】
【補正対象書類名】明細書
【補正対象項目名】０１５３
【補正方法】変更
【補正の内容】
【０１５３】
図１、図６および図１０〜１４を用いて本発明の実施例２について説明する。本実施例における電子カメラの構成は、実施例１のものと同じであり、共通する構成要素には実施例１と同符号を付して説明に代える。本実施例は、自動露出に関するものである。
【手続補正１６】
【補正対象書類名】明細書
【補正対象項目名】０１８３
【補正方法】変更
【補正の内容】
【０１８３】
ステップＳ７１５では、フォーカルプレーンシャッタ２０８を開くように制御する。さらにステップＳ７１６では、画像データコントローラ２２０（ＤＳＰ）に対して撮像素子２１０の電荷蓄積動作（積分動作）を指示する。
【手続補正１７】
【補正対象書類名】明細書
【補正対象項目名】０１８４
【補正方法】変更
【補正の内容】
【０１８４】
ステップＳ７１７では、ステップＳ７０４で決定された積分時間の間、待機する。そして積分時間が終わると、ステップＳ７１８へ移行し、フォーカルプレーンシャッタ２０８を閉じるように制御する。なお、積分時間は露出補正量“ＤＡＥ”に応じて変化する。
【手続補正１８】
【補正対象書類名】明細書
【補正対象項目名】０１８６
【補正方法】変更
【補正の内容】
【０１８６】
ステップＳ７２０では、絞り１０２を開放に駆動する。そして、ステップＳ７２１では、画像データコントローラ２２０に対して、撮像素子２１０から画像データを取り込むように指示する。この際、撮像素子２１０から取り込む画像データ又は画像表示回路２１３に表示する画像は、全撮影範囲のうち測光を行った（選択された）測光エリアを中心とする限定された領域を拡大した画像データとしてもよい。
【手続補正１９】
【補正対象書類名】明細書
【補正対象項目名】０２１１
【補正方法】変更
【補正の内容】
【０２１１】
ステップＳ９１３では、フォーカルプレーンシャッタ２０８を開くように制御する。さらにステップＳ９１４では、画像データコントローラ２２０（ＤＳＰ）に対して撮像素子２１０の積分動作を指示する。
【手続補正２０】
【補正対象書類名】明細書
【補正対象項目名】０２１２
【補正方法】変更
【補正の内容】
【０２１２】
ステップＳ９１５では、積分時間の間、待機する。ここで、積分時間は、ＡＥ補正量がＥＥＰＲＯＭ２２２に記憶されていなかった場合は、ステップＳ９０３で算出された時間となり、ＡＥ補正量がＥＥＰＲＯＭ２２２に記憶されていた場合は、ステップＳ９０５で補正された時間となる。そして積分時間が終わると、ステップＳ９１６へ移行し、フォーカルプレーンシャッタ２０８を閉じるよう制御する。
【手続補正２１】
【補正対象書類名】明細書
【補正対象項目名】０２５０
【補正方法】変更
【補正の内容】
【０２５０】
次にステップＳ１０１３では、システムコントローラ２２３は、フォーカルプレーンシャッタ２０８を開くように制御する。さらにステップＳ１０１４では、画像データコントローラ２２０（ＤＳＰ）に対して撮像素子２１０の電荷蓄積動作（積分動作）を指示する。ステップＳ１０１５では、ステップ１００４で決定された積分時間の間、待機する。そして積分時間が終わると、ステップＳ１０１６へ移行し、フォーカルプレーンシャッタ２０８を閉じるように制御する。
【手続補正２２】
【補正対象書類名】明細書
【補正対象項目名】０２７６
【補正方法】変更
【補正の内容】
【０２７６】
次にステップＳ１２１１では、フォーカルプレーンシャッタ２０８を開くように制御する。さらにステップＳ１２１２では、画像データコントローラ２２０（ＤＳＰ）に対して、撮像素子２１０の電荷蓄積動作（積分動作）を指示する。ステップＳ１２１３では、ステップＳ１２０３で決定された積分時間の間、待機する。そして積分時間が終わると、ステップＳ１２１４へ移行し、フォーカルプレーンシャッタ２０８を閉じるように制御する。
【手続補正２３】
【補正対象書類名】明細書
【補正対象項目名】０２７９
【補正方法】変更
【補正の内容】
【０２７９】
次にステップＳ１２１８では、ＥＥＰＲＯＭ２２２に記憶されているレンズＩＤ情報を読み出し、電子カメラ２００に取り付けられている撮影レンズ（レンズＩＤ情報で判別）に対応したＷＢ補正量（ＷＢキャリブレーションデータ）がＥＥＰＲＯＭ２２２に記憶されているかどうかを判別する。記憶されていればステップＳ１２１９へ、無ければステップＳ１２２０へ移行する。